(57)【特許請求の範囲】
【請求項１】
制御装置と、第１のシステムの受信器と、第２のシステムの送信器とを含む通信システムであって；
制御装置は、第１のシステムの受信器によって受信される信号の強度を獲得し、第２のシステムの送信器によって送信される信号の送信電力と第１のシステムの受信器の感度との間の対応情報、および送信器によって現在送信される信号の強度に従って、第１のシステムの受信器によって受信される信号の獲得された強度が、前記送信器によって現在送信される信号の強度に対応する第１のシステムの受信器の感度より低いかどうかを判断し、低いと判断する場合、受信信号の強度とみなされる第１のシステムの受信器の感度に対応する送信器によって送信される信号の強度に等しいかまたは低くなるよう、送信器によって現在送信される信号の強度を低減するよう構成され；
第１のシステムの受信器は、第１のシステムに関する信号を受信するよう構成され、送信器は、制御装置の制御に従って信号を送信するよう構成される；
ことを特徴とする通信システム。
【請求項２】
制御装置は、第１のシステムの受信器によって受信される信号の獲得された強度が、送信器によって現在送信される信号の強度に対応する第１のシステムの受信器の感度より大きいと判断する時、受信信号の強度とみなされる第１のシステムの受信器の感度に対応する送信器によって送信される信号の強度に等しくなるよう、送信器によって現在送信される信号の強度を増加するようさらに構成されることを特徴とする請求項１に記載の通信システム。
【請求項３】
第１のシステムの受信器は、UMTSの受信器、GSM(登録商標)の受信器、CDMAシステムの受信器、WIMAXシステムの受信器、およびTD-SCDMAシステムの受信器の何れか１つであることを特徴とする請求項１に記載の通信システム。
【請求項４】
第２のシステムは、無線ローカルネットワークアクセスポイントであることを特徴とする請求項１に記載の通信システム。
【請求項５】
獲得ユニットと、判断ユニットと、調節ユニットとを含む制御装置であって：
獲得ユニットは、第１のシステムの受信器によって受信される信号の強度を獲得するよう構成され；
判断ユニットは、第２のシステムの送信器によって送信される信号の送信電力と第１のシステムの受信器の感度との間の対応情報、および送信器によって現在送信される信号の強度に従って、第１のシステムの受信器によって受信される信号の獲得された強度が、第２のシステムの送信器によって現在送信される信号の強度に対応する第１のシステムの受信器の感度より低いかどうかを判断するよう構成され；
調節ユニットは、第１のシステムの受信器によって受信される信号の獲得された強度が、送信器によって現在送信される信号の強度に対応する第１のシステムの受信器の感度より低いと判断する時、受信信号の強度とみなされる第１のシステムの受信器の感度に対応する送信器によって送信される信号の強度に等しいかまたは低くなるよう、送信器によって現在送信される信号の強度を低減するよう構成される；
ことを特徴とする制御装置。
【請求項６】
調節ユニットは、第１のシステムの受信器によって受信される信号の獲得された強度が、送信器によって現在送信される信号の強度に対応する第１のシステムの受信器の感度より大きいと判断する時、受信信号の強度とみなされる第１のシステムの受信器の感度に対応する送信器によって送信される信号の強度に等しくなるよう、送信器によって現在送信される信号の強度を増加するようさらに構成されることを特徴とする請求項５に記載の制御装置。
【請求項７】
送信電力を動的に調節するための方法であって：
第１のシステムの受信器によって受信される信号の強度を獲得するステップと；
第２のシステムの送信器によって送信される信号の送信電力と第１のシステムの受信器の感度との間の対応情報、および送信器によって現在送信される信号の強度に従って、第１のシステムの受信器によって受信される信号の獲得された強度が、第２のシステムの送信器によって現在送信される信号の強度に対応する第１のシステムの受信器の感度より低いかどうかを判断するステップと；
低いと判断する場合、受信信号の強度とみなされる第１のシステムの受信器の感度に対応する送信器によって送信される信号の強度に等しいかまたは低くなるよう、送信器によって現在送信される信号の強度を低減するステップと；
を具備することを特徴とする方法。
【請求項８】
第１のシステムの受信器によって受信される信号の獲得された強度が、送信器によって現在送信される信号の強度に対応する第１のシステムの受信器の感度より大きいと判断する時、受信信号の強度とみなされる第１のシステムの受信器の感度に対応する送信器によって送信される信号の強度に等しくなるよう、送信器によって現在送信される信号の強度を増加するステップをさらに具備することを特徴とする請求項７に記載の送信電力を動的に調節するための方法。
【請求項９】
第２のシステムは、無線ローカルネットワークアクセスポイントであり、第１のシステムは、UMTS、GSM(登録商標)、CDMA、WIMAX、およびTD-SCDMAの何れか１つのシステムであることを特徴とする請求項７に記載の送信電力を動的に調節するための方法。
【発明の詳細な説明】
【技術分野】
【０００１】
本発明は、一般に通信技術に関し、具体的に、送信電力を動的に調節するための方法、制御装置、および通信システムに関する。
【背景技術】
【０００２】
無線通信技術の進歩に伴い、無線装置は、異なる無線通信システムに属する各種コンポーネントを有しうる。例えば、無線ローカルネットワークゲートウェイ製品は、無線アクセスポイント（AP,  Access  Point）装置およびステーション（Station）装置を含み、AP装置は、特定のエリア内で無線アクセス信号カバレッジを提供することに関与し、AP装置のカバレッジにおける各種端末装置（例えば、コンピュータ、携帯電話等）は、ステーション装置またはAP装置を介してネットワークにアクセスすることができる。
【０００３】
従来のAP装置は、十分な帯域幅を獲得するために、イーサネット（登録商標）または光ファイバーを介してアップリンク上でインターネット（Internet）にアクセスする。しかし、無線技術の進歩に伴い、高速パッケージアクセス（HSPA,  High  Speed  Packages  Access）技術、ワイマックス（WiMAX,  Worldwide  Interoperability  for  Microwave  Access）または他の無線通信規格は、イーサネット（登録商標）または光ファイバーの代わりに、アップリンクのために従来のAP装置（即ち、無線ゲートウェイ製品）によって使用されてきた。故に、アクセスポイントの移動性および携帯性がかなり改善されたが、ワイファイ（WIFI,  Wireless  Fidelity）技術および他の通信システムを介して通信する無線ローカルエリア装置の両方の狭い空間における同時動作を直接的にもたらす。前記他の通信システムは、ユニバーサルモバイルテレコミュニケーションシステム（UMTS,  Universal  Mobile  Telecommunication  System）、グローバルシステムフォーモバイルコミュニケーション（GSM(登録商標),  Global  System  for  Mobile  Communications）、符号分割多重アクセス（CDMA,  Code  Division  Multiple  Access）システム、ワイマックス（WiMAX,  Worldwide  Interoperability  for  Microwave  Access）、時分割同時符号分割多重アクセス（TD-SCDMA,  Time  Division-Synchronous  Code  Division  Multiple  Access）システム等の何れか１つでもよい。
【０００４】
それらシステムにおいて、最適なカバレッジを得るために、WIFI装置の送信電力は、制御なしで常に最も高く維持される。故に、WIFI装置によって送信される信号が、他のシステムの端末によって受信される信号に与える影響は、他のシステムのこれら端末を設計する時、考慮されなければならない。しかし、２つの通信システムが小さな装置に共存するので、両方のシステム間のアンテナの隔離は、かなり弱く、故に他のシステムは、装置による高い電力のWIFI送信信号によって簡単に妨害される。妨害に起因して受信器の感度が低下するのを防止するために、受信器に到達するWIFI送信信号の電力は、特定の電力より低く抑制されなければならない。
【０００５】
従来技術において、フィルタが他の通信システムの受信経路に追加されるか、またはWIFIの周波数帯域上のフィルタの抑制要件（restraint  requirements）が強化される。
【０００６】
従来技術に関する検討および慣習の中で、本発明の発明者は、第１の周波数帯域上のWIFIフィルタの抑制要件の強化が、通常の受信通過帯域内の高い差分ロス（difference  loss）をもたらすので、通常の条件下でシステム性能の劣化をもたらす一方で、他の通信システムの受信経路に対するフィルタの追加またはフィルタの抑制要件の強化が、装置のコストの増加をもたらすことに気付いた。
【発明の概要】
【課題を解決するための手段】
【０００７】
本発明は、送信電力を動的に調節するための方法、制御装置および通信システムを提供し、無線通信システムによって送信される高い電力信号に起因して他の無線通信システムにおける受信器の性能劣化の問題を解決することを意図する。
【０００８】
本発明の実施形態は、送信電力を動的に調節するための方法であって：
第１のシステムの受信器によって受信される信号の強度を獲得するステップと；
送信器によって送信される信号の強度と第１のシステムの受信器の感度との間の対応情報、および送信器によって現在送信される信号の強度に従って、第１のシステムの受信器によって受信される信号の獲得された強度が、送信器によって現在送信される信号の強度に対応する第１のシステムの受信器の感度より低いかどうかを判断するステップと；
低いと判断する場合、受信信号の強度とみなされる第１のシステムの受信器の感度に対応する送信器によって送信される信号の強度に等しいかまたは低くなるよう、送信器によって現在送信される信号の強度を低減するステップと；
を具備することを特徴とする方法を提供する。
【０００９】
本発明の実施形態は、獲得ユニットと、判断ユニットと、調節ユニットとを含む、送信電力を動的に調節するための制御装置であって；
獲得ユニットは、第１のシステムの受信器によって受信される信号の強度を獲得するよう構成され；
判断ユニットは、送信器によって送信される信号の強度と第１のシステムの受信器の感度との間の対応情報、および送信器によって現在送信される信号の強度に従って、第１のシステムの受信器によって受信される信号の獲得された強度が、送信器によって現在送信される信号の強度に対応する第１のシステムの受信器の感度より低いかどうかを判断するよう構成され；
調節ユニットは、第１のシステムの受信器によって受信される信号の獲得された強度が、送信器によって現在送信される信号の強度に対応する第１のシステムの受信器の感度より低いと判断する時、受信信号の強度とみなされる第１のシステムの受信器の感度に対応する送信器によって送信される信号の強度に等しいかまたは低くなるよう、送信器によって現在送信される信号の強度を低減するよう構成される；
ことを特徴とする制御装置をさらに提供する。
【００１０】
本発明の実施形態は、制御装置と、第１のシステムの受信器と、送信器とを含む通信システムであって；
制御装置は、第１のシステムの受信器によって受信される信号の強度を獲得し、送信器によって送信される信号の強度と第１のシステムの受信器の感度との間の対応情報、および送信器によって現在送信される信号の強度に従って、第１のシステムの受信器によって受信される信号の獲得された強度が、送信器によって現在送信される信号の強度に対応する第１のシステムの受信器の感度より低いかどうかを判断し、低いと判断する場合、受信信号の強度とみなされる第１のシステムの受信器の感度に対応する送信器によって送信される信号の強度に等しいかまたは低くなるよう、送信器によって現在送信される信号の強度を低減するよう構成され；
第１のシステムの受信器は、第１のシステムに関する信号を受信するよう構成され；
送信器は、制御装置の制御に従って信号を送信するよう構成される；
ことを特徴とする通信システムをさらに提供する。
【００１１】
本発明の実施形態は、第１のシステムの受信器によって受信される信号の獲得された強度が、送信器によって現在送信される信号の強度に対応する第１のシステムの受信器の感度より低いかどうか判断し、低いと判断する場合、送信器によって送信される信号からの第１のシステムの受信器の受信信号に対する干渉を低減するために、送信器によって送信される信号の強度を低減することで、第１のシステムの受信器が、受信信号を復調できるようにすることを実施する。従来技術と比較して、フィルタが第１のシステムの受信器に追加されないので、装置の製造コストが削減される。一方で、より高い性能が第１のシステムの受信器に関して維持できる。
【図面の簡単な説明】
【００１２】
【図１】図１は、本発明の第１の実施形態によって提供される、送信電力を動的に調節するための方法を示すフロー図である。
【図２】図２は、本発明の第２の実施形態によって提供される、送信電力を動的に調節するための方法を示すフロー図である。
【図３】図３は、本発明の第３の実施形態によって提供される、制御装置を示す論理ユニット図である。
【図４】図４は、本発明の第４の実施形態によって提供される、通信システムを示す概略図である。
【発明を実施するための形態】
【００１３】
本発明の実施形態の技術的解決策は、実施形態の図とともに以下に完全に、および明確に説明される。以下に説明される実施形態は、全ての実施形態ではなく、本発明の一部実施形態のみであることに留意すべきである。本発明の実施形態に基づく発明作業なしで当業者によって獲得されうる全ての他の実施形態は、本発明の範囲内にある。
【００１４】
第１の実施形態
本発明の実施形態は、図１に示す通り、送信電力を動的に調節する方法を提供する。方法は：
ステップS1：第１のシステムの受信器によって受信される信号の強度を獲得すること；
ここで、ステップS1で獲得される第１のシステムの受信器によって受信される信号の強度は、獲得すべき装置自身によって検出されることができ、または代わりに、第１のシステムの受信器によって受信される信号の強度は、もう１つの装置によって検出されることができ、次いで方法を実行するための装置へもう１つの装置によって送信されることができる。
【００１５】
また、上記第１のシステムは特に、無線ローカルネットワークアクセスポイント（AP,  Access  Point）の送信器によって送信されるような高い電力信号からの干渉を受けるシステム等にすることができ、WIFIが属する無線通信システムとは異なることに留意すべきである。特に、第１のシステムは、ユニバーサルモバイルテレコミュニケーションシステム（UMTS,  Universal  Mobile  Telecommunication  System）、グローバルシステムフォーモバイルコミュニケーション（GSM(登録商標),  Global  System  for  Mobile  Communications）、符号分割多重アクセス（CDMA,  Code  Division  Multiple  Access）システム、ワイマックス（WiMAX,  Worldwide  Interoperability  for  Microwave  Access）、時分割同時符号分割多重アクセス（TD-SCDMA,  Time  Division-Synchronous  Code  Division  Multiple  Access）システム等のシステムの何れか１つでもよい。第１のシステムの受信器は、上記無線通信システムまたは無線通信技術で使用される受信器でもよい。
【００１６】
ステップS2：第１のシステムの受信器によって受信される信号の獲得された強度は、送信器によって送信される信号の強度と第１のシステムの受信器の感度との対応情報、および送信器によって現在送信される信号の強度に従って、送信器によって現在送信される信号の強度に対応する第１のシステムの受信器の感度より低いかを判断し、低いと判断される場合、ステップS３を実行すること；
ここで、ステップS2で送信器によって送信される信号の強度と第１のシステムの受信器の感度との間の対応情報は特に、装置に格納される対応テーブルの形式にすることができる。この実施形態によって提供される方法を実行する前、装置は、送信器が異なる強度の信号を送信する時、第１のシステムの受信器の感度を測定し、次いで送信器によって送信される信号の強度と第１のシステムの受信器の対応する感度とに基づく対応テーブルを獲得することができる。ここで、上記は単に、対応テーブルを獲得するための１つの動作であり、本発明の実施形態を限定するとして解釈されるべきでない。対応テーブルはまた、もう１つの装置のテストに基づき獲得され、次いで本発明の実施形態の装置が対応テーブルを獲得するために、本発明の実施形態を実行するための装置に送信されることができる。
【００１７】
また、ステップS2における第１のシステムの送信器および受信器は、１つの単一装置で同じ場所に配置されることができることに留意すべきである。故に、送信器によって現在送信される信号の強度は、送信器によって現在送信される信号の強度に基づき知られ、送信器によって現在送信される信号の強度に従って第１のシステムの受信器の感度を発見することが容易になる。故に、第１のシステムの受信器によって受信される信号の獲得された強度が、送信器によって現在送信される信号の強度に対応する第１のシステムの受信器の感度より低いかどうか判断される。上記送信器は、無線ローカルネットワークアクセスポイントの送信器またはもう１つの無線通信技術で使用される送信器でもよい。
【００１８】
ステップS3：受信信号の強度とみなされる第１のシステムの受信器の感度に対応する送信器によって送信される信号の強度と等しいかまたは低くなるよう、送信器によって送信される信号の強度を低減すること。
ここで、第１のシステムの受信器によって受信される信号の獲得された強度が、送信器によって現在送信される信号の強度に対応する第１のシステムの受信器の感度より低いことをステップS2で判断する時、送信器によって送信される信号が第１のシステムの受信器にかなり干渉し、第１のシステムの受信器によって受信される信号を正しく復調しないことを示すことが明らかであることに留意すべきである。従って、送信器によって送信される信号の強度は、受信信号の強度とみなされる第１のシステムの受信器の感度に対応する送信器によって送信される信号の強度と等しいかまたは低くなるよう低減される。
【００１９】
上記ステップS1-S3で検討した通り、本発明の実施形態によって提供される方法は、第１のシステムの受信器によって受信される信号の獲得された強度が、送信器によって現在送信される信号の強度に対応する第１のシステムの受信器の感度より低いかどうかを判断し、低いと判断する場合、送信器によって送信される信号からの第１のシステムの受信器の受信信号に対する干渉を低減するために、送信器によって現在送信される信号の強度を低減することにより、第１のシステムの受信器が受信信号を復調できることを実施する。従来技術と比較して、フィルタが第１のシステムの受信器に追加されないので、装置の製造コストが削減される。一方で、より高い性能が第１のシステムの受信器で維持されることができる。
【００２０】
また、上記ステップS2の判断が肯定的である時、即ち第１のシステムの受信器によって受信される信号の獲得された強度が、送信器によって現在送信される信号の強度に対応する第１のシステムの受信器の感度より大きい時、方法はまた、以下を含むことができる。
ステップS4：受信信号の強度とみなされる第１のシステムの受信器の感度に対応する送信器によって送信される信号の強度に等しくなるよう、送信器によって送信される信号の強度を増加すること。
【００２１】
ここで、上記ステップS4を追加することにより、第１のシステムの受信器は、受信信号を復調する一方で、送信器によって送信される信号は、より大きなカバレッジに到達でき、より合理的に信号を送信および／または受信するための方法を可能にする。
【００２２】
第２の実施形態
本発明の実施形態は、送信電力を動的に調節する方法を提供し、これは、第１の実施形態に類似するが、より具体的な用途である。ここで、この実施形態において、上記第１の実施形態で説明した第１のシステムの受信器は特に、UMTS、GSM(登録商標)、CDMA、WiMAX、TD-SCDMA等のシステムの何れか１つの受信器として言及される（以下、GSM(登録商標)システムの受信器は、説明目的のために扱われる。他のシステムの受信器の動作は、GSM(登録商標)システムと類似なので、GSM(登録商標)システムの受信器の動作に言及することができる。）。上記第１の実施形態で説明した送信器は特に、この実施形態のWIFI受信器として言及される。
【００２３】
図２に示す通り、方法は：
ステップ２０１：GSM(登録商標)システムの受信器によって受信する信号の強度を獲得する；
ステップ２０２：無線ローカルネットワークアクセスポイントの送信器によって送信される信号の強度とGSM(登録商標)システムの受信器の感度との間の対応情報、および無線ローカルネットワークアクセスポイントの送信器によって現在送信される信号の強度に従って、GSM(登録商標)システムの受信器によって受信される信号の獲得された強度が、無線ローカルネットワークアクセスポイントの送信器によって現在送信される信号の強度に対応するGSM(登録商標)システムの受信器の感度より低いかどうかを判断し、低いと判断する場合、ステップ２０３を実行する；
ここで、ステップ２０２で説明した無線ローカルネットワークアクセスポイントの送信器によって送信される信号の強度とGSM(登録商標)システムの受信器の感度との間の対応情報は特に、装置に格納される対応テーブルの形式にすることができる。対応テーブルは特に、本発明の実施形態の方法を実施するための装置によって実行されるテストを介して獲得されることができる。対応テーブルはまた、もう１つの装置によって実行されるテストに基づき獲得され、次いで方法を実行するための装置に送信され、方法を実行するための装置が対応テーブルを獲得することができる。以下のテーブル１は、無線ローカルネットワークアクセスポイントの送信器によって送信される信号の強度とGSM(登録商標)システムの受信器の感度との間の対応テーブルである。
【００２４】
【表１】
0005565470.tif 000002
ここで、上記値は単に、対応テーブルの一組の値を示し、テストに基づき特に獲得される。従って、テーブル１の値は、本発明の実施形態を限定すると解釈されるべきではない。テーブル１の特定値は、異なる環境およびテスト条件に基づき異なる。それは単に、本明細書の理解を容易にするための一例である。
【００２５】
例えば、ステップ２０１で獲得されるGSM(登録商標)受信器の受信信号の強度が−８８dBmであり、無線ローカルネットワークアクセスポイントの送信器によって現在送信される信号の強度が２０dBmの時、無線ローカルネットワークアクセスポイントの送信器によって現在送信される信号の強度に対応するGSM(登録商標)システムの受信器の感度は、−８０dBmであり、−８８dBmは、−８０dBmより低い。従って、無線ローカルネットワークアクセスポイントの送信器の送信電力を低減するよう、ステップ２０３を実行する必要がある。
【００２６】
ステップ２０３：受信信号の強度とみなされるGSM(登録商標)システムの受信器の感度に対応する送信器によって送信される信号の強度に等しいかまたは低くなるよう、無線ローカルネットワークアクセスポイントの送信器によって送信される信号の強度を低減すること。
【００２７】
テーブル１に示す対応テーブルから、GSM(登録商標)受信器の受信信号の強度が−８８dBmの時、無線ローカルネットワークアクセスポイントの送信器の送信電力が１５dBmとして選択されることが分かる。故に、GSM(登録商標)受信器は、受信信号を復調できる。
【００２８】
ステップ２０１−２０３で検討した通り、本発明の実施形態によって提供される方法は：GSM(登録商標)システムの受信器によって受信される信号の獲得された強度が、無線ローカルネットワークアクセスポイントの送信器によって現在送信される信号の強度に対応するGSM(登録商標)システムの受信器の感度より低いかどうかを判断し；判断が肯定的である場合、無線ローカルネットワークアクセスポイントの送信器によって送信される信号の強度を低減し、無線ローカルネットワークアクセスポイントの送信器によって送信される信号からのGSM(登録商標)システムの受信器の受信信号に対する干渉を低減することで、GSM(登録商標)システムの受信器が受信信号を復調できることを実施する。従来技術と比較して、GSM(登録商標)システムの受信器にフィルタが追加されないので、装置の製造コストが削減される。一方で、より高い性能がGSM(登録商標)システムの受信器で維持される。
【００２９】
また例えば、ステップ２０１で獲得されるGSM(登録商標)受信器の受信信号の強度が−８８dBmであり、無線ローカルネットワークアクセスポイントの送信器によって送信される信号の強度が１５dBmの時、無線ローカルネットワークアクセスポイントの送信器によって現在送信される信号の強度に対応するGSM(登録商標)システムの受信器の感度は、−９０dBmであり、−８８dBmは、−９０dBmより大きい。従って、無線ローカルネットワークアクセスポイントの送信器の送信電力を増加することができる。従って、方法は、さらに以下を含むことができる。
【００３０】
ステップ２０４：受信信号の強度とみなされるGSM(登録商標)システムの受信器の感度に対応する無線ローカルネットワークアクセスポイントの送信器によって送信される信号の強度に等しくなるよう、無線ローカルネットワークアクセスポイントの送信器によって送信される信号の強度を増加すること。
【００３１】
説明のために、上記ステップ２０４は、−８８dBmのGSM(登録商標)システムの受信器の感度に対応する無線ローカルネットワークアクセスポイントの送信器の送信電力へ、無線ローカルネットワークアクセスポイントの送信器によって送信される信号の送信電力を増加することが分かる。−８８dBmのGSM(登録商標)受信器の感度に対応する無線ローカルネットワークアクセスポイントの送信器の送信電力は、テーブル１でテストされないので、設計者は、実際の必要性に基づき、−８８dBmのGSM(登録商標)受信器の感度に対応する無線ローカルネットワークアクセスポイントの送信器の送信電力を測定するかどうかを選択することができる。
【００３２】
また説明のために、テーブル１における−８８dBmのGSM(登録商標)受信器の感度に対応する無線ローカルネットワークアクセスポイントの送信器の送信電力がない時、無線ローカルネットワークアクセスポイントの送信器は、現在送信される信号の送信電力を維持することができる。
【００３３】
ここで、上記ステップ２０４を追加することにより、GSM(登録商標)システムの受信器は、受信信号を復調できる一方で、無線ローカルネットワークアクセスポイントの送信器によって送信される信号は、より大きなカバレッジに到達することができ、より合理的に信号を送信および／または受信するための方法を可能にする。
【００３４】
第３の実施形態
本発明の実施形態は、図３に示す通り、制御装置を提供する。制御装置は：獲得ユニット３０１、判断ユニット３０２、および調節ユニット３０３を含む。
【００３５】
獲得ユニット３０１は、第１のシステムの受信器によって受信される信号の強度を獲得するよう構成される。
【００３６】
説明のために、獲得ユニット３０１によって獲得される第１のシステムの受信器によって受信される信号の強度は、獲得すべき装置自身によって検出されるか、または代わりに、第１のシステムの受信器によって検出され、次いで獲得ユニット３０１に送信されてもよい。
【００３７】
判断ユニット３０２は、送信器によって送信される信号の強度と第１のシステムの受信器の感度との間の対応情報、および送信器によって現在送信される信号の強度に従って、第１のシステムの受信器によって受信される信号の獲得された強度が、送信器によって現在送信される信号の強度に対応する第１のシステムの受信器の感度より低いかどうかを判断するよう構成される。
【００３８】
ここで、送信器によって送信される信号の強度と第１のシステムの受信器の感度との間の対応情報は特に、装置に格納される対応テーブルの形式にすることができる。この実施形態によって提供される方法を実行する前、装置は、送信器が異なる強度の信号を送信する時、第１のシステムの受信器の感度を測定し、次いで送信器によって送信される信号の強度と第１のシステムの受信器の対応する感度とに基づき、対応テーブルを獲得することができる。ここで、上記は単に、対応テーブルを獲得するための１つの動作であり、本発明の実施形態を限定すると解釈すべきでない。対応テーブルはまた、もう１つの装置のテストに基づき獲得され、次いで本発明の実施形態を実行するための装置に送信されて、本発明の実施形態の装置が対応テーブルを獲得することができる。
【００３９】
さらに理解するために、上記送信器は、無線ローカルネットワークアクセスポイントの送信器にすることができる。第１のシステムの上記受信器は特に、GSM(登録商標)、CDMA、WIMAX、TD-SCDMAおよびUMTSシステム受信器の何れか１つにすることができる。
【００４０】
調節ユニット３０３は：第１のシステムの受信器によって受信される信号の獲得された強度が、送信器によって現在送信される信号の強度に対応する第１のシステムの受信器の感度より低いと判断ユニット３０２が判断する時、受信信号の強度とみなされる第１のシステムの受信器の感度に対応する送信器によって送信される信号の強度と等しいかまたは低くなるよう、送信器によって送信される信号の強度を低減するように構成される。
【００４１】
ここで、説明のために、第１のシステムの受信器によって受信される信号の獲得された強度が、送信器によって現在送信される信号の強度に対応する第１のシステムの受信器の感度より低いと判断ユニット３０２が判断する時、送信器によって送信される信号が、第１のシステムの受信器にかなり干渉し、受信信号が第１のシステムの受信器によって正しく復調されないことを明らかに示す。従って、送信器によって送信される信号の強度が、受信信号の強度とみなされる第１のシステムの受信器の感度に対応する送信器によって送信される信号の強度に等しいかまたは低くなるよう低減される。
【００４２】
本発明の実施形態で提供される制御装置に関して上記検討した通り、装置は：第１のシステムの受信器によって受信される信号の獲得された強度が、送信器によって現在送信される信号の強度に対応する第１のシステムの受信器の感度より低いかどうか判断し、低いと判断する場合、送信器によって送信される信号の強度を低減し、送信器によって送信される信号からの第１のシステムの受信器の受信信号に対する干渉を低減して、第１のシステムの受信器が受信信号を変調できることを実施する。従来技術と比較して、フィルタが第１のシステムの受信器に追加されないので、装置の製造コストが低減される。一方で、より高い性能が第１のシステムの受信器で維持されることができる。
【００４３】
調節ユニット３０３はまた、第１のシステムの受信器によって受信される信号の獲得された強度が、送信器によって現在送信される信号の強度に対応する第１のシステムの受信器の感度より大きいと判断ユニット３０２が判断する時、受信信号の強度とみなされる第１のシステムの受信器の感度に対応する送信器によって送信される信号の強度に等しくなるよう、送信器によって送信される信号の強度を増加するよう構成される。
【００４４】
調節ユニット３０３はまた、送信信号の送信電力を増加するよう構成されるので、第１のシステムの受信器は、受信信号を復調できる一方で、送信器によって送信される信号がより大きなカバレッジに到達することができる。故に、制御装置はより合理的に、送信器が信号を送信し、第１のシステムの受信器が信号を受信するよう制御する。
【００４５】
第４の実施形態
本発明の実施形態は、図４に示す通り、通信システムを提供する。通信システムは、制御装置４０１、第１のシステムの受信器４０２および送信器４０３を含む。
【００４６】
ここで、制御装置４０１は、第１のシステムの受信器によって受信される信号の強度を獲得し；送信器によって送信される信号の強度と第１のシステムの受信器の感度との間の対応情報、および送信器によって現在送信される信号の強度に従って、第１のシステムの受信器によって受信される信号の獲得された強度が、送信器によって現在送信される信号の強度に対応する第１のシステムの受信器の感度より低いかどうか判断し；第１のシステムの受信器によって受信される信号の獲得された強度が、送信器によって現在送信される信号の強度に対応する第１のシステムの受信器の感度より低い時、受信信号の強度とみなされる第１のシステムの受信器の感度に対応する送信器によって送信される信号の強度に等しいかまたは低くなるよう、送信器によって送信される信号の強度を低減するよう構成される。
【００４７】
第１のシステムの受信器４０２は、第１のシステムに関する信号を受信するよう構成される。
【００４８】
ここで、第１のシステムの上記受信器４０２は特に、GSM(登録商標)、CDMA、WIMAX、TD-SCDMAおよびUMTSシステムの受信器の何れか１つにすることができる。
【００４９】
送信器４０２は、制御装置の制御に従って信号を送信するよう構成される。
【００５０】
ここで、上記送信器は特に、無線ローカルネットワーク（WIFI）の送信器にすることができる。
【００５１】
本発明の実施形態で提供される通信システムに関して上記検討した通り、システムは：第１のシステムの受信器によって受信される信号の獲得された強度が、送信器によって現在送信される信号の強度に対応する第１のシステムの受信器の感度より低いかどうか判断し；低いと判断する場合、送信器によって現在送信される信号の強度を低減し、送信器によって送信される信号からの第１のシステムの受信器の受信信号に対する干渉を低減して、第１のシステムの受信器が受信信号を復調できることを実施する。従来技術と比較して、フィルタが第１のシステムの受信器に追加されないので、装置の製造コストが低減される。一方で、より高い性能が第１のシステムの受信器で維持できる。
【００５２】
通信システムの制御装置４０１はまた、第１のシステムの受信器によって受信される信号の獲得された強度が、送信器によって現在送信される信号の強度に対応する第１のシステムの受信器の感度より大きいと判断する時、受信信号の強度とみなされる第１のシステムの受信器の感度に対応する送信器によって送信される信号の強度に等しくなるよう、送信器の送信信号の強度を増加するよう構成される。
【００５３】
送信器がさらに、制御装置４０１の制御に基づき送信信号の送信電力を増加するよう構成できるので、第１のシステムの受信器は、受信信号を復調できる一方で、送信器によって送信される信号は、より大きなカバレッジに到達できる。故に、制御装置はより合理的に、送信器が信号を送信し、第１のシステムの受信器が信号を受信するよう制御することができる。
【００５４】
当業者であれば、上記実施形態の各種方法のステップの全てまたは一部が、ハードウェアに命令するプログラムによって実施できることがわかる。プログラムは、コンピュータ読み取り可能な媒体に格納でき、それは、ROM、RAM、ディスクまたは光学媒体等を含む。
【００５５】
送信電力を動的に調節するための方法、制御装置および通信システムは、詳細に本発明の実施形態で示される。本発明の原理および実施形態は、特定の例を用いて説明される。上記検討は単に、本発明の方法または主な概念の理解を容易にするために使用される。また、当業者であれば、本発明の概念に基づき実施形態およびアプリケーション分野に任意の変更を行うことができる。結論として、説明の上記内容は、本発明を限定すると解釈すべきではない。
【符号の説明】
【００５６】
３０１  獲得ユニット
３０２  判断ユニット
３０３  調節ユニット
【図１】
0005565470.tif 000003
【図２】
0005565470.tif 000004
【図３】
0005565470.tif 000005
【図４】
0005565470.tif 000006